【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
ＥＬ素子を有する画素がマトリックス状に配置された表示領域を有するＥＬ表示装置において、
前記ＥＬ表示装置で使用する映像信号から、前記表示領域に流入する電流に対応するデータを求める演算回路と、
前記演算回路で求めたデータにより、前記ＥＬ表示装置の表示画面に発生させる非表示領域と表示領域の割合を変化させる表示制御回路とを具備することを特徴とするＥＬ表示装置。
【請求項２】
非表示領域および表示領域は帯状であり、前記非表示領域および表示領域は画面の所定方向に、フレームに同期して走査され、
前記表示制御回路は、前記非表示領域および表示領域の分割数を、前記フレームのフレームレートにより、可変させることを特徴とする請求項１記載のＥＬ表示装置。
【請求項３】
第１の前記非表示領域および表示領域の割合から、第２の前記非表示領域および表示領域の割合への変化時間は、０．２秒以上１０秒以下であることを特徴とする請求項１記載のＥＬ表示装置。
【請求項４】
前記非表示領域および表示領域の分割数は、前記ＥＬ表示装置に入力される映像信号により変化することを特徴とする請求項１記載のＥＬ表示装置。
【請求項５】
前記画素において、前記ＥＬ素子に電流を供給する駆動用トランジスタと、前記電流経路に形成されたスイッチ用トランジスタとが形成され、
前記スイッチ用トランジスタをオンオフさせて、前記電流を制御することにより、
前記ＥＬ表示装置の表示画面に帯状の非表示領域および表示領域を発生できることを特徴とする請求項１記載のＥＬ表示装置。
【請求項６】
外光の明るさを検出する検出手段を更に具備し、
前記表示画面に帯状の非表示領域および表示領域を発生させ、
前記検出手段の出力値により、前記非表示領域と表示領域の割合を変化させることを特徴とする請求項１記載のＥＬ表示装置。
【請求項７】
前記表示領域には、赤色の画素、緑色の画素、青色の画素および白色の画素がマトリックス状に配置されていることを特徴とする請求項１記載のＥＬ表示装置。
【請求項８】
複数の画素行からなる表示画面と、前記画素行を選択し前記画素行のＥＬ素子を発光制御するゲートドライバ回路とを有するＥＬ表示装置において、
前記ＥＬ表示装置で使用する各色の映像信号から、前記表示領域に流入する電流に対応するデータを求める段階と、
前記データにより、前記ゲートドライバ回路に入力するスタートパルスを発生させる段階とを含むＥＬ表示装置の駆動方法。
【請求項９】
前記表示画面に帯状の非表示領域および表示領域を発生させ、
前記非表示領域および表示領域を、表示領域の所定方向に移動させて画像を表示することを特徴とする請求項８記載のＥＬ表示装置の駆動方法。
【請求項１０】
前記表示領域に帯状の非表示領域および表示領域を発生させ、
ユーザーの操作により、前記非表示領域と表示領域の割合を変化させることを特徴とする請求項８記載のＥＬ表示装置の駆動方法。
【手続補正２】
【補正対象書類名】明細書
【補正対象項目名】発明の名称
【補正方法】変更
【補正の内容】
【発明の名称】ＥＬ表示装置およびＥＬ表示装置の駆動方法
【手続補正３】
【補正対象書類名】明細書
【補正対象項目名】００１５
【補正方法】変更
【補正の内容】
【００１５】
第１の本発明は、ＥＬ素子を有する画素がマトリックス状に配置された表示領域を有するＥＬ表示装置において、
前記ＥＬ表示装置で使用する映像信号から、前記表示領域に流入する電流に対応するデータを求める演算回路と、
前記演算回路で求めたデータにより、前記ＥＬ表示装置の表示画面に発生させる非表示領域と表示領域の割合を変化させる表示制御回路とを具備することを特徴とするＥＬ表示装置である。
【手続補正４】
【補正対象書類名】明細書
【補正対象項目名】００１６
【補正方法】変更
【補正の内容】
【００１６】
本発明においては、たとえば、ソースドライバ回路は、基準電流源を有し、また、ゲートドライバ回路を制御することにより、電流制御、輝度制御を実現する。また、画素は、複数あるいは単独の駆動用トランジスタを有し、ＥＬ素子に流れる電流バラツキが発生しないように駆動する。したがって、しきい値のずれによる出力電流のばらつきが小さく、ＥＬ表示パネルの表示むらの発生を抑制することが可能となる。また、ダイナミックレンジが広い画像表示を実現でき、実用的効果は大きい。
【手続補正５】
【補正対象書類名】明細書
【補正対象項目名】００１７
【補正方法】変更
【補正の内容】
【００１７】
また、本発明においては、表示パネル、表示装置等は、高画質、良好な動画表示性能、低消費電力、低コスト化、高輝度化等のそれぞれの構成に応じて特徴ある効果を発揮する。
【手続補正６】
【補正対象書類名】明細書
【補正対象項目名】０２４２
【補正方法】変更
【補正の内容】
【０２４２】
静止画の場合は、図２３、図５４（ｃ）、図４６９（ｃ）などに示すように、非表示領域１９２を多数に分散させることが好ましい。動画の場合は、図２３、図５４（ａ）、図４６８（ａ）などに示すように非表示領域を一括することが好ましい。
【手続補正７】
【補正対象書類名】明細書
【補正対象項目名】０２４３
【補正方法】変更
【補正の内容】
【０２４３】
映画などの自然画では、動画と静止画が連続して表示される。したがって、動画→自然画、自然画→動画の切り換えが必要である。静止画の図２３、図５４（ｃ）、図４６９（ｃ）と、動画の図２３、図５４（ａ）、図４６９（ａ）との間で急に変化をさせるとフリッカが発生する。この課題に対しては、中間動画により対応する（図４６８（ｂ）、図５４（ｂ）など）。
【手続補正８】
【補正対象書類名】明細書
【補正対象項目名】０２４４
【補正方法】変更
【補正の内容】
【０２４４】
たとえば、図４６９（ａ）から中間動画４６９（ｂ）に移行する際も、急激に変化することは好ましくない。図４６９（ａ）の表示表域１９３ａの中央部より非表示領域１９２ａ（図４６９（ｂ）を参照のこと）を発生させ、非表示領域１９２ａのＡの領域を少しずつ広くしていく（画像内容が変化しない場合は、表示領域１９３の面積の総和は維持することが必要である）。さらに静止画が連続して続く場合は、図４６９（ｃ）のように非表示領域１９２を分割し、Ｂの部分を少しずつ広くして行き、表示領域１９３を複数に分割する。静止画から動画に移行する時は逆の駆動方法（表示方法あるいは制御方法）を実施する。以上のように操作あるいは動作させることにより静止画から動画に変化あるいはその逆に変化するときであっても、フリッカの発生は生じない。
【手続補正９】
【補正対象書類名】明細書
【補正対象項目名】０２４５
【補正方法】変更
【補正の内容】
【０２４５】
なお、静止画の場合は、図２３、図５４（ｃ）、図４６９（ｃ）などに示すように、非表示領域１９２を多数に分散させ、動画の場合は、図２３、図５４（ａ）、図４６９（ａ）などに示すように非表示領域を一括するとした。しかし、後にも説明するが、ｄｕｔｙ比制御あるいは基準電流比制御との組み合わせにより、一義に決定されるものではない。たとえば、動画の場合において、ｄｕｔｙ比が１／１の場合は、非表示表域１９２がない場合もある。また、静止画の場合において、ｄｕｔｙ比が０／１の場合は、画面１４４のすべては非表示表域１９２で、非表示領域１９２が分割できない場合もある。また、動画の場合において、ｄｕｔｙ比が小さく（０／１に近い）場合は、非表示表域１９２が複数に分割される場合もある。静止画の場合において、ｄｕｔｙ比が大きい（１／１に近い）場合は、画面１４４のすべては非表示表域１９２がなく、非表示領域１９２が分割できない場合もある。したがって、静止画の場合は、図２３、図５４（ｃ）、図４６９（ｃ）などに示すように、非表示領域１９２を多数に分散させ、動画の場合は、図２３、図５４（ａ）、図４６９（ａ）などに示すように非表示領域を一括するというのは説明の例示である。変形例が多数存在する。
【手続補正１０】
【補正対象書類名】明細書
【補正対象項目名】０２４６
【補正方法】変更
【補正の内容】
【０２４６】
したがって、本発明の駆動方式は、多数の表示（ドラマ、映画など）を本発明の表示装置で表示した場合、静止画の場合は、図２３、図５４（ｃ）、図４６９（ｃ）などに示すように、非表示領域１９２を多数に分散させる時が発生するシーンが１度でもあること、動画の場合は、図２３、図５４（ａ）、図４６９（ａ）などに示すように非表示領域を一括するシーンが１度でもあるように駆動するものである。